(57)【要約】【課題】ビデオライトの光源をフラッシュの光源と共用化して、各モードでの動画及び静止画撮影に十分利用できる発光装置を提供する。【解決手段】充電スイッチＳｃ１，Ｓｃ２を同時に、または交互にＯＮすることにより、メインコンデンサＣ１，Ｃ２に充電可能である。本実施形態においては、ユーザがフラッシュモード、ビデオモード、併用モードを選択するかによって、制御部１３が充電スイッチＳｃ１，Ｓｃ２のＯＮ／ＯＦＦを制御する。また、制御部１３は、放電スイッチＳｄ１，Ｓｄ２が同時にＯＮして放電することはできないように制御している。ここで、メインコンデンサＣ１とＣ２の容量関係はＣ１＞Ｃ２である。【選択図】          図１
2004302114.tif 000002
【特許請求の範囲】
【請求項１】
電気信号により発光する光源と、
前記光源に対し単発光させる信号出力を行う第１発光回路と、
前記光源に対し連続発光させる信号出力を行う第２発光回路と、
各部を制御する制御手段とを備え、
前記第１および第２発光回路は、前記光源に並列に接続され、
前記制御手段は、前記第１および第２発光回路のどちらか一方を発光させる場合に、他方の発光回路による発光がなされていない場合にのみ、前記光源に一方の発光回路から出力させることを特徴とする発光装置。
【請求項２】
前記第１発光回路は、電源からの電荷を蓄えるための第１充電手段と、該第１充電手段と光源との接続をＯＮ／ＯＦＦする第１放電切換手段とを備え、
前記第２発光回路は、電源からの電荷を蓄えるための第１充電手段より容量の小さい第２充電手段と、該第２充電手段と光源との接続を連続でＯＮ／ＯＦＦするスイッチング動作を行う第１放電切換手段とを備え、
前記制御手段は、前記第１発光回路を発光させる場合、第２放電切換手段がスイッチング動作をしていないことを条件とし、前記第２発光回路を発光させる場合、前記第１放電切換手段がＯＦＦ状態であることを条件とすることを特徴とする請求項１記載の発光装置。
【請求項３】
前記制御手段は、前記第２発光回路により前記光源を連続発光させ、その反射光の情報により発光量、及び露出量を決定し、前記第２発光回路による発光を停止して、前記第１発光回路により前記光源を単発光させることを特徴とする請求項１又は２記載の発光装置。
【発明の詳細な説明】
【０００１】
【発明の属する技術分野】
本発明は、ビデオカメラ及びデジタルカメラの光源としての機能を具備する発光装置に関するものである。
【０００２】
【従来の技術】
通常ビデオカメラ及びデジタルカメラ撮影において、室内または夜間屋外など周囲環境が暗い場合、補助照明として静止画撮影ならフラッシュを焚き、動画撮影ならビデオライトを点灯させて静止画像または映像を記録することが多い。
【０００３】
ビデオカメラ及びデジタルカメラに用いられるフラッシュと動画撮影用のビデオライトの光源は一般的に前者はキセノンランプで後者はハロゲンランプまたはＬＥＤを使用しており、この両者の発光原理が異なることにより、光源ユニットが別であるのが一般的である。
【０００４】
また、特許文献１において、ストロボを連続発光させてビデオライトと兼用した技術が公開されている。
【０００５】
【特許文献１】
特開平６−２３３１８０号
【０００６】
【発明が解決しようとする課題】
しかし、前者の技術では、使用目的に応じてユニットの交換、或いは後付けしなければならず、作業が煩雑であった。
また、後者の技術では、ストロボでフラッシュとビデオライトを兼用できるので、使用目的に応じてユニットの交換等は必要ないが、連続発光時間はストロボのメインコンデンサの容量で制限されてしまうため、比較的長時間になる動画撮影には有効ではない。
【０００７】
そこで、本発明の目的は、ビデオライトの光源をフラッシュの光源と共用化して、各モードでの動画及び静止画撮影に十分利用できる発光装置を提供することにある。
【０００８】
【課題を解決するための手段】
本発明は、電気信号により発光する光源と、前記光源に対し単発光させる信号出力を行う第１発光回路と、前記光源に対し連続発光させる信号出力を行う第２発光回路と、各部を制御する制御手段とを備え、
前記第１および第２発光回路は、前記光源に並列に接続され、前記制御手段は、前記第１および第２発光回路のどちらか一方を発光させる場合に、他方の発光回路が発光していない場合にのみ、前記光源に一方の発光回路から出力させることを特徴とする。
【０００９】
また、本発明は前記第１発光回路は、電源からの電荷を蓄えるための第１充電手段と、該第１充電手段と光源との接続をＯＮ／ＯＦＦする第１放電切換手段とを備え、前記第２発光回路は、電源からの電荷を蓄えるための第１充電手段より容量の小さい第２充電手段と、該第２充電手段と光源との接続を連続でＯＮ／ＯＦＦするスイッチング動作を行う第１放電切換手段とを備え、
前記制御手段は、前記第１発光回路を発光させる場合、第２放電切換手段がスイッチング動作をしていないことを条件とし、前記第２発光回路を発光させる場合、前記第１放電切換手段がＯＦＦ状態であることを条件とすることを特徴とする。
【００１０】
また、本発明は、前記制御手段は、前記第２発光回路により前記光源を連続発光させ、その反射光の情報により発光量、及び露出量を決定し、前記第２発光回路による発光を停止して、前記第１発光回路により前記光源を単発光させることを特徴とする。
【００１１】
本発明はフラッシュと同じ発光原理の光源を用いて、フラッシュの充電手段であるコンデンサ容量を小さくし、且つ高速連続発光させることでビデオライトとしての機能を有し、このビデオライトの光源をフラッシュの光源と共用化するものである。また、フラッシュとビデオライトの発光回路は、並列接続されて独立しており、ビデオライトの発光時間はメインコンデンサの容量に制限されない。即ちフラッシュとビデオライトというそれぞれ異なる機能を有した発光回路を並列に接続し、使用目的に応じてそれぞれ光源に信号を出力することにより、即ち機能を切り替えることにより、共通の光源をフラッシュとして、またはビデオライトとして使用するものである。つまり、この２つの発光装置は光源に対して並列に接続して１つの光源を共用し、フラッシュの機能とビデオライトの機能を切り替えることにより、ユニットの交換、或いはユニットの後付け無しで両方の機能を有することができ、動画及び静止画撮影に利用できる発光装置である。
【００１２】
【発明の実施の形態】
以下、発明の実施の形態について、図面を参照しながら説明する。
【００１３】
図１は、本発明に係る発光装置の一実施形態を示すブロック図である。この発光装置１０は、電気信号により発光する光源Ｘ、光源Ｘをデジタルカメラのフラッシュとして単発光させる発光回路１１と、光源Ｘをビデオカメラのビデオライトとして連続発光させる発光回路１２、発光回路１１に対する充電スイッチＳｃ１、発光回路１２に対する充電スイッチＳｃ２、各部を制御する制御部１３とから構成される。発光回路１１は、充電手段としてのメインコンデンサＣ１と、メインコンデンサＣ１と光源Ｘとの接続をＯＮ／ＯＦＦする放電切換手段である放電スイッチＳｄ１とからなる。また、発光回路１２は、充電手段であるメインコンデンサＣ２と、メインコンデンサＣ２と光源との接続を連続にＯＮ／ＯＦＦするスイッチング動作をする放電切換手段である放電スイッチＳｄ２とからなる。
【００１４】
直流電源Ｖｃｃには、充電スイッチＳｃ１、発光回路１１、光源Ｘがこの順に接続され、また、充電スイッチＳｃ２、発光回路１２、光源Ｘが接続されている。すなわち、電源Ｖｃｃと光源Ｘの間に発光回路１１と発光回路１２が並列接続している。そして、充電スイッチＳｃ１と光源Ｘの間に放電スイッチＳｄ１を直列に配置し、また、充電スイッチＳｃ１と光源Ｘの間に放電スイッチＳｄ２を直列に配置する。
【００１５】
また、充電スイッチＳｃ１と放電スイッチＳｄ１の間にメインコンデンサＣ１の一端を接続し、他端をＧＮＤに接続する。また、充電スイッチＳｃ２と放電スイッチＳｄ２の間にメインコンデンサＣ２の一端を接続し、他端をＧＮＤに接続する。光源Ｘの一端は、放電スイッチＳｄ１，Ｓｄ２に接続し、他端はＧＮＤに接続している。
【００１６】
充電スイッチＳｃ１，Ｓｃ２を同時に、または交互にＯＮすることにより、メインコンデンサＣ１，Ｃ２に充電可能である。本実施形態においては、ユーザがフラッシュモード、ビデオモード、併用モードを選択するかによって、制御部１３が充電スイッチＳｃ１，Ｓｃ２のＯＮ／ＯＦＦを制御する。また、制御部１３は、放電スイッチＳｄ１，Ｓｄ２が同時にＯＮして放電することはできないように制御している。ここで、メインコンデンサＣ１とＣ２の容量関係はＣ１＞Ｃ２である。光源Ｘは、電源Ｖｃｃよりも高い電圧で発光する。
【００１７】
フラッシュの機能を有する発光回路１１は、メインコンデンサＣ１の充電完了後、制御部１３が出力する発光信号入力により、放電スイッチＳｄ１がＯＮして、光源Ｘが発光する。
ビデオライトの機能を有する発光回路１２は、メインコンデンサＣ２の容量がメインコンデンサＣ１の容量に比べて小さいため、充放電にかかる時間が発光回路１１よりも短く、制御部１３が出力する高速で連続した発光パルス信号の入力に合わせて、放電スイッチＳｄ２がＯＮ／ＯＦＦスイッチングして光源がパルス発光する。パルス周波数はメインコンデンサＣ２の容量に合わせてパルス発光が安定し、且つ動画撮影時の映像出力のちらつきが少ないところに設定する。
【００１８】
図１に示すように、発光回路１１は、メインコンデンサＣ２の充電完了後に充電を止め、発光信号が入力された時点で放電して発光する。発光回路１２は、メインコンデンサＣ２の容量がメインコンデンサＣ１の容量よりも小さく、発光パルス入力に合わせて、充放電が高速に行われ連続パルス発光を繰り返す。
【００１９】
尚、発光回路１１と発光回路１２は並列に接続されており、充電スイッチＳｃ１、充電スイッチＳｃ２をＯＮすることにより、各発光回路１１，１２のメインコンデンサＣ１，Ｃ２へ電源を供給して充電する。そして、放電スイッチＳｄ１と放電スイッチＳｄ２の切り替えにより、フラッシュ、またはビデオライトとしての機能を果たす。
【００２０】
図２は、発光回路１１によるフラッシュモードの発光プロセスを示すフローチャートである。ユーザがフラッシュモードを選択した場合、制御部１３は、発光回路１１の充電スイッチをＯＮさせ（ステップＳ１）、メインコンデンサＣ１の充電完了を確認する（ステップＳ２）。メインコンデンサＣ１が充電された場合に、充電スイッチＳｃ１をＯＦＦする（ステップＳ３）。そして、放電スイッチＳｄ２がスイッチング動作を行っているかを確認して（ステップＳ４）、スイッチング動作をしていない場合にのみ、放電スイッチＳｄ１をＯＮする。こうして制御部１３は、発光回路１１の放電スイッチＳｄ１をＯＮする前に、発光回路１２によるビデオライトの発光が無いことを条件として、放電スイッチＳｄ１をＯＮし、フラッシュとして光源Ｘを発光させる（ステップＳ６）。
【００２１】
図３は、発光回路１２によるビデオライトモードの発光プロセスを示すフローチャートである。ユーザがビデオライトモードを選択した場合、制御部１３は、充電スイッチＳｃ２をＯＮして、発光回路１２のメインコンデンサＣ２に充電を開始する（ステップＳ１１）。次に、発光回路１１の放電スイッチＳｄ１がＯＦＦしている場合にのみ（ステップＳ１２）、発光回路１２の放電スイッチＳｄ２をスイッチング動作させる（ステップＳ１３）。ビデオライトの放電スイッチＳｄ２を入力発光パルスに合わせて連続スイッチングＯＮする前に、フラッシュの発光が無いことを条件として、放電スイッチＳｄ２を連続スイッチングＯＮし、ビデオライトとして光源Ｘを連続パルス発光させる（ステップＳ１４）。
【００２２】
図４は、発光回路１１と発光回路１２によるビデオライトを併用するフラッシュの発光プロセスを示すフローチャートである。これは、フラッシュ撮影する場合に、適正露光量を得るために、まずビデオライトの機能で被写体に発光照射し、その反射光の情報をもとに、カメラ内部で発光量と露光量を決定し、それからフラッシュの機能に切り替えて撮影するものである。
【００２３】
まず、制御部１３は、ビデオライトモード（ステップＳ１１〜ステップＳ１４）で光源Ｘをプリ発光させる（ステップＳ２１）。次に、その反射光の情報により発光量、及び露出量を決定する（ステップＳ２２）。放電スイッチＳｄ２のスイッチング動作をＯＦＦにし（ステップＳ２３）、フラッシュモード（ステップＳ１〜ステップＳ６）で光源Ｘを発光させる（ステップＳ２４）。
【００２４】
【発明の効果】
本発明によれば、フラッシュとビデオライトのとして光源が機能するように信号を出力する２つの発光回路を並列に接続し、信号出力を切り替えることにより、１つの光源で２つの機能を持たせることができるので、ユニットの交換、或いはユニットの後付け無しで両方の機能を有することができ、機能的に小型、軽量化が図れる。
【００２５】
また、本発明によれば、第１充電手段より容量の小さい第２充電手段と、該第２充電手段と光源との接続を連続でＯＮ／ＯＦＦするスイッチング動作を行う第１放電切換手段とを備えるので、連続発光を長時間行うことができる。
【００２６】
また、本発明によれば、フラッシュ撮影する場合に、適正露光量を得るために、まずビデオライトの機能で被写体に発光照射し、その反射光の情報をもとに、カメラ内部で発光量と露光量を決定しフラッシュの機能に切り替えて撮影するため、より適正な露光量で撮影することが可能となる。
【図面の簡単な説明】
【図１】本発明に係る発光装置の一実施形態を示すブロック図である。
【図２】フラッシュモードの発光プロセスを示すフローチャートである。
【図３】ビデオライトモードの発光プロセスを示すフローチャートである。
【図４】ビデオライトを併用するフラッシュの発光プロセスを示すフローチャートである。
【符号の説明】
１０  発光装置
１１，１２  発光回路
Ｓｃ１，Ｓｃ２  充電スイッチ
Ｓｄ１，Ｓｄ２  放電スイッチ
Ｃ１，Ｃ２  メインコンデンサ
Ｘ  光源
Ｖｃｃ  直流電源
【図１】
2004302114.tif 000003
【図２】
2004302114.tif 000004
【図３】
2004302114.tif 000005
【図４】
2004302114.tif 000006